(57)【要約】【課題】ロータリブレードで刈取った草をモアデッキの側方或いは後方の何れか一方より容易に排出可能とさせるもので、モアデッキにおける側方或いは後方の排出の切換えを容易とさせて作業性を向上させる。【解決手段】複数のロータリブレード１９をモアデッキ１２に装備させると共に、モアデッキ１２の排出口を形成する排出口カバー３９をモアデッキ１２の側方或いは後方に組換え自在に設ける。【選択図】      図５
2004180622.tif 000002
【特許請求の範囲】
【請求項１】
複数のロータリブレードをモアデッキに装備させると共に、モアデッキの排出口を形成する排出口カバーをモアデッキの側方或いは後方に組換え自在に設けたことを特徴とする草刈機。
【請求項２】
ロータリブレードの回転を正或いは逆方向とさせる２つの正逆ギヤを単一のギヤ軸に配備させ、ギヤ軸のスライド操作で正逆ギヤを択一的に入力ギヤに結合連結させて、ロータリブレードの正逆回転を行うように設けたことを特徴とする請求項１記載の草刈機。
【発明の詳細な説明】
【０００１】
【発明の属する技術分野】
本発明は芝生或いは圃場の雑草などを刈取る乗用型の草刈機に関する。
【０００２】
【従来の技術】
従来、複数のロータリブレードをモアデッキに装備させると共に、ロータリブレードの回転をベルト駆動で行うようにした技術がある。（例えば、特許文献１参照）
【０００３】
【特許文献１】特開平１１−３４６５３３号公報
【０００４】
【発明が解決しようとする課題】
従来のモアデッキにあっては、モアデッキの側方或いは後方の排出方向で各ロータリブレードの回転方向も一方向に定まったものとなって、側方或いは後方の排出方向で専用のモアデッキを必要とし、両方を必要とする場合極めて不経済なばかりでなくメンテナンスの面でも悪いものであった。
【０００５】
【課題を解決するための手段】
したがって本発明は、複数のロータリブレードをモアデッキに装備させると共に、モアデッキの排出口を形成する排出口カバーをモアデッキの側方或いは後方に組換え自在に設けて、１つのモアデッキを排出方向が側方或いは後方の何れにも活用して経済性やメンテナンス性を向上させるばかりでなく、排出方向の側方或いは後方の切換えを容易とさせて作業性を向上させるものである。
【０００６】
また、ロータリブレードの回転を正或いは逆方向とさせる２つの正逆ギヤを単一のギヤ軸に配備させ、ギヤ軸のスライド操作で正逆ギヤを択一的に入力ギヤに結合連結させて、ロータリブレードの正逆回転を行って、ギヤ軸を例えば上下方向にスライドさせるだけの簡単な操作で必要とするロータリブレードの回転を正確に正逆させて、作業能率の向上化を図るものである。
【０００７】
【発明の実施の形態】
以下、本発明の実施例を図面に基づいて詳述する。図１は草刈機全体の側面図、図２は同平面図、図３は同背面図を示し、図中１は乗用型草刈機であり、２は前後輪３・４を有する車台フレーム、５は前記フレーム２後部に搭載するエンジン、６は前記エンジン５を覆うボンネット、７は前記ボンネット６前側に備える操向ハンドル、８は前ステップ、９は前車体カバー、１０は前記カバー９上に設ける運転席、１１は前ステップ８の下方にモアデッキ１２を配備するローンモア装置、１３は前記モアデッキ１２の右側に配備する刈草搬送スロワ、１４は前記ボンネット６上方に配設してスロワ１３からの刈草を貯留する集草タンクである。
【０００８】
図４、図５に示す如く、前記モア装置１１は機体前方に突出させる左右ヒッチリンク１５にモア支持フレーム１６、前後の左右ゲージ輪１７・１８を介してモアデッキ１２を上下高さ調節自在に支持させ、該デッキ１２内に３枚のロータリブレード１９を横方向に配置させ、デッキ１２内で刈取った草をデッキ１２右側に集めてスロワー１３によって後方の集草タンク１４に送り込むように構成している。
【０００９】
前記集草タンク１４は運転席１０の後部に配設する門形ガードフレーム２０のホルダー２１に固定ピン２２をタンクステー１３を取外し自在に取付けると共に、ガードフレーム２０の基端をブラケット２４を介し車台フレーム２に固定させて、ボンネット６上方の空きスペースにタンク１４を配備させるもので、ボンネット６上方にタンク台を配設してタンク台上にタンク１４を搭載する構成や、リフト及びダンプ用リンクを介して車台フレーム２にタンク１４を支持させてリンクのリフト及びダンプ作用でタンク１４内の草の放出を行う構成でも良い。
【００１０】
図４に示す如く、前記モア装置１１は中央位置のブレード１９ａをブレード軸２５ａを介し入力ケース２６に回転自在に支持させ、左右位置のブレード１９ｂ・１９ｃを各ブレード軸２５ｂ・２６ｃを介して左右伝動ケース２７・２８に回転自在に支持させるもので、エンジン５からの駆動力を自在継手軸などを介し入力ケース２６の入力軸２９に伝え、前記ブレード軸２５ａにベベルギヤ３０を介し入力軸２９を連結させると共に、左右のブレード軸２５ｂ・２５ｃにベベルギヤ３１，左右伝達軸３２・３３，左右伝動ケース２７・２８内のベベルギヤ３４・３５を介して中央のブレード軸２５ａを連結させて、図５に示す如く、３枚のブレード１９ａ・１９ｂ・１９ｃを同一時計方向に回転させ、デッキ１２右側位置に形成する側方排出口３６よりスロワー１３に刈取った草を排出させるように構成している。
【００１１】
図６に示す如く、前記モアデッキ１２は後方にも排出口３７を形成し、側方排出口３６にノブ付ボルト３８を介し側面視門形状の排出口カバー３９を取外し自在に固定可能とさせると共に、図５に示す如く後方排出口３７の左右両側のデッキ１２後面内側にノブ付ボルト４０を介し密閉用のエンクロージャ４１を取外し自在に固定させて、側方排出時には後方排出口３７をエンクロージャ４１で覆うように構成している。
【００１２】
また図７に示す如く、前記エンクロージャ４１は３つ折り可能な３枚の円弧状側板４２ａ・４２ｂ・４２ｃを有し、中央側板４２ａの左右両側にヒンジ４３を介し左右側板４２ｂ・４２ｃを回動自在に連結させて、図５に示す如く、側方排出時には３枚の側板４２ａ・４２ｂ・４２ｃを平板状に拡張させて後方排出口３７を覆っている。
【００１３】
また図６に示す如く、左側ブレード１９ｃを反時計方向に回転させ、側方排出口３６を閉とし後方排出口３７を開とさせるとき刈取った草を排出口３７より後方に排出可能とさせるもので、後方排出口３７より内側のデッキ１２に排出口カバー３９をノブ付ボルト４０で取付固定すると共に、半円形状に折曲げたエンクロージャ４１をノブ付ボルト３８で側方排出口３６のデッキ１２外側に取付固定して３枚のブレード１９ａ・１９ｂ・１９ｃで刈取った草を排出口３７よりデッキ１２後方に排出可能とさせるように構成している。
【００１４】
図８、図９は右側のブレード１９ｃを正逆転させる正逆転機構４４を示すもので、前記入力軸２９の入力ベベルギヤ３０ａに対し上下位置で結合させる正逆ギヤ３０ｂ・３０ｃをスライド軸４５に一定間隔で固設させ、右側のブレード軸２５ｃのスプライン係合部４６にスライド軸４５の下端スプライン軸部４５ａをスライド自在に嵌合させ、スライド軸４５のスライド操作で入力ベベルギヤ３０ａに正逆ギヤ３０ｂ・３０ｃを択一的に結合させて、ブレード１９ｃを容易に正転或いは逆転させ側方排出口３６或いは後方排出口３７より刈取った草の排出を行うように構成している。
【００１５】
上記からも明らかなように、複数のロータリブレード１９をモアデッキ１２に装備させると共に、モアデッキ１２の排出口を形成する排出口カバー３９をモアデッキ１２の側方或いは後方に組換え自在に設けたことによって、１つのモアデッキ１２を排出方向が側方或いは後方の何れにも活用して経済性やメンテナンス性を向上させるばかりでなく、排出方向の側方或いは後方の切換えを容易とさせて作業性を向上させることができる。
【００１６】
また、ロータリブレード１９の回転を正或いは逆方向とさせる２つの正逆ギヤ３０ｂ・３０ｃを単一のギヤ軸であるスライド軸４５に配備させ、スライド軸４５のスライド操作で正逆ギヤ３０ｂ・３０ｃを択一的に入力ギヤ３０ａに結合連結させて、ロータリブレード１９の正逆回転を行うことによって、スライド軸４５を例えば上下方向にスライドさせるだけの簡単な操作で必要とするロータリブレード１９の回転を正確に正逆させて、作業能率の向上化を図ることができる。
【００１７】
図１０、図１１に示すものは、正逆ギヤ３０ｂ・３０ｃのみをスライド操作して入力ベベルギヤ３０ａに択一的に結合させる構成を示すもので、正逆ギヤ３０ｂ・３０ｃの外側係合溝４６に上下折曲係合片４７ａ・４７ｂを係合させるスライドアーム４７を設け、スライドアーム４７に固設する操作ロッド４８上端を右伝動ケース２８より上方にスライド操作自在に突出させ、操作ロッド４８のスライド操作で正逆ギヤ３０ｂ・３０ｃのみを上下動させてブレード１９ｃの正逆転の切換えを可能とさせるように構成している。この場合、ブレード軸２５ｃを右伝動ケース２８の軸受部に一定保持させて支持強度を良好とさせることができる。
【００１８】
図１２（１）（２）に示す如く、前記デッキ１２を昇降させる本機リフトアーム４９に対しデッキ１２側の昇降フレーム５０とをフック５１により係脱自在に連結させるもので、リフトアーム４９先端にフック５１を形成し、フック５１に常時は閉保持させる捩りバネ式の開閉板５２を設け、昇降フレーム５０に設置する取付ヒッチ５３のヒッチ軸５４を上方よりフック５１に係合させてデッキ１２を本機側に装着させるように構成している。そして、フック５１とヒッチ軸５４の係合時には開閉板５２を押し込んで開とさせ、係合完了時には開閉板５２をバネ戻り力で閉とさせて、デッキ１２の容易な取付けと取付け後の確実な保持を行うように構成している。
【００１９】
【発明の効果】
以上実施例から明らかなように本発明は、複数のロータリブレード１９をモアデッキ１２に装備させると共に、モアデッキ１２の排出口を形成する排出口カバー３９をモアデッキ１２の側方或いは後方に組換え自在に設けたものであるから、１つのモアデッキ１２を排出方向が側方或いは後方の何れにも活用して経済性やメンテナンス性を向上させるばかりでなく、排出方向の側方或いは後方の切換えを容易とさせて作業性を向上させることができるものである。
【００２０】
また、ロータリブレード１９の回転を正或いは逆方向とさせる２つの正逆ギヤ３０ｂ・３０ｃを単一のギヤ軸４５に配備させ、ギヤ軸４５のスライド操作で正逆ギヤ３０ｂ・３０ｃを択一的に入力ギヤ３０ａに結合連結させて、ロータリブレード１９の正逆回転を行うものであるから、ギヤ軸４５を例えば上下方向にスライドさせるだけの簡単な操作で必要とするロータリブレード１９の回転を正確に正逆させて、作業能率の向上化を図ることができるものである。
【図面の簡単な説明】
【図１】草刈機の全体側面図。
【図２】草刈機の全体平面図。
【図３】草刈機の全体背面図。
【図４】ロータリブレードの駆動説明図。
【図５】側方排出の説明図。
【図６】後方排出の説明図。
【図７】デッキの斜視説明図。
【図８】正逆ギヤ部の説明図。
【図９】正逆ギヤ部の切換説明図。
【図１０】スライドアームによる切換説明図。
【図１１】スライドアームによる斜視説明図。
【図１２】デッキ取付部の説明図。
【符号の説明】
１２    モアデッキ
１９    ロータリブレード
３０ｂ・３０ｃ    正逆ギヤ
３９    排出口カバー
４５    スライド軸（ギヤ軸）
【図１】
2004180622.tif 000003
【図２】
2004180622.tif 000004
【図３】
2004180622.tif 000005
【図４】
2004180622.tif 000006
【図５】
2004180622.tif 000007
【図６】
2004180622.tif 000008
【図７】
2004180622.tif 000009
【図８】
2004180622.tif 000010
【図９】
2004180622.tif 000011
【図１０】
2004180622.tif 000012
【図１１】
2004180622.tif 000013
【図１２】
2004180622.tif 000014